(57)【要約】【課題】本発明は、湾曲又は屈曲されることによる破損の発生が抑制された基板を備える電子機器を提供することを目的とする。【解決手段】携帯電話機１は、接続部９１と、接続部９１の一体的に連設され接続部９１よりも薄い連結部９２であって、当該連設された方向において湾曲又は屈曲された状態で配置される連結部９２と、を有するＦＰＣ部９０と、ＦＰＣ部９０を収容する操作部側筐体２と、を備える。連結部９２は、接続部９１と連結部９２との境界における連結部９２の前記連設方向と直交する直交方向の中央部分を構成する中央境界部９６ａと、境界における直交方向の両端部分を構成し、中央境界部９６ａに比して、接続部９１における一端と反対側の他端側に形成される外側境界部９６ｂと、を備える。【選択図】図４
2010080814.tif 000002
【特許請求の範囲】
【請求項１】
第１シート部と、前記第１シート部の一端から一体的に連設され前記第１シート部よりも薄い第２シート部であって、当該連設された方向である連設方向において湾曲又は屈曲された状態で配置される第２シート部とを有する基板と、
前記基板を収容する筐体と、
を備える電子機器であって、
前記第２シート部は、前記第１シート部と前記第２シート部との境界における前記第２シート部の前記連設方向と直交する直交方向の中央部分を構成する中央境界部と、
前記境界における前記直交方向の両端部分を構成し、前記中央境界部に比して、前記第１シート部における前記一端と反対側の他端側に形成される外側境界部と、を備えることを特徴とする電子機器。
【請求項２】
前記第２シート部は、前記第１シート部よりも柔らかい
請求項１に記載の電子機器。
【請求項３】
前記第１シート部及び第２シート部は、シート状材料が単層又は複数層積層されて構成され、
前記第２シート部は、前記第１シート部よりも積層される前記シート状材料が少ない
請求項１又は２に記載の電子機器。
【請求項４】
前記基板は、ベースフィルム部及びカバーフィルム部を有し、
前記第１シート部は、前記ベースフィルム部及び前記カバーフィルム部が積含されて構成され、
前記境界は、前記カバーフィルム部縁部であり、
前記ベースフィルム部は、前記第２シート部が湾曲又は屈曲された状態であるとき、前記カバーフィルム部より外側に配置される
請求項３に記載の電子機器。
【請求項５】
第１シート部と、前記第１シート部の一端から一体的に連設され前記第１シート部よりも薄い第２シート部であって、当該連設された方向である連設方向において湾曲又は屈曲された状態で配置される第２シート部と、を有する基板であって、
前記第２シート部は、前記第１シート部と前記第２シート部との境界における前記第２シート部の前記連設方向と直交する直交方向の中央部分を構成する中央境界部と、
前記境界における前記直交方向の両端部分を構成し、前記中央境界部に比して、前記第１シート部における前記一端と反対側の他端側に形成される外側境界部と、を備えることを特徴とする基板。
【発明の詳細な説明】
【技術分野】
【０００１】
本発明は、携帯電話機等の電子機器に関する。
【背景技術】
【０００２】
近年、市場に流通している電子機器としての携帯電話機は、薄型化や小型化が進んでいる。
例えば、携帯電話機を小型化するため、基板同士をつなぐフレキシブルプリント基板（ＦＰＣ：Ｆｌｅｘｉｂｌｅ  Ｐｒｉｎｔｅｄ  Ｃｉｒｃｕｉｔｓ）を湾曲させて携帯電話機内における体積占有率を減少させるという技術が知られている。（例えば、特許文献１参照）。
【０００３】
しかし、携帯電話機１における小型化が進むなか、フレキシブルプリント基板における湾曲を急にする（曲率半径を小さくする）ことが求められている。
これに対し、湾曲部におけるフレキシブルプリント基板を構成する部分におけるカバーフィルムを除去することで、フレキシブルプリント基板における湾曲性を向上させる技術が知られている。
【特許文献１】特開２００８−１９８４４９号公報
【発明の開示】
【発明が解決しようとする課題】
【０００４】
しかし、湾曲部に対応する部分のカバーフィルムを除去した場合、湾曲性は向上するが、カバーフィルムを除去した部分とカバーフィルムとの境界に応力が集中してフレキシブルプリント基板が破損する場合があった。例えば、フレキシブルプリント基板における幅方向外側から破れてしまう場合があった。
【０００５】
本発明は、湾曲又は屈曲されることによる破損の発生が抑制された基板を備える電子機器を提供することを目的とする。
また、湾曲又は屈曲されることによる破損の発生が抑制された基板を提供することを目的とする。
【課題を解決するための手段】
【０００６】
本発明は、第１シート部と、前記第１シート部の一端から一体的に連設され前記第１シート部よりも薄い第２シート部であって、当該連設された方向である連設方向において湾曲又は屈曲された状態で配置される第２シート部とを有する基板と、前記基板を収容する筐体と、を備える電子機器であって、前記第２シート部は、前記第１シート部と前記第２シート部との境界における前記第２シート部の前記連設方向と直交する直交方向の中央部分を構成する中央境界部と、前記境界における前記直交方向の両端部分を構成し、前記中央境界部に比して、前記第１シート部における前記一端と反対側の他端側に形成される外側境界部と、を備える電子機器に関する。
【０００７】
また、前記第２シート部は、前記第１シート部よりも柔らかいことが好ましい。
【０００８】
また、前記第１シート部及び第２シート部は、シート状材料が単層又は複数層積層されて構成され、前記第２シート部は、前記第１シート部よりも積層される前記シート材料が少ないことが好ましい。
【０００９】
また、前記基板は、ベースフィルム部及びカバーフィルム部を有し、前記第１シート部は、前記ベースフィルム部及び前記カバーフィルム部が積含されて構成され、前記境界は、前記カバーフィルム部縁部であり、前記ベースフィルム部は、前記第２シート部が湾曲又は屈曲された状態であるとき、前記カバーフィルム部より外側に配置されることが好ましい。
【００１０】
本発明は、第１シート部と、前記第１シート部の一端から一体的に連設され前記第１シート部よりも薄い第２シート部であって、当該連設された方向である連設方向において湾曲又は屈曲された状態で配置される第２シート部と、を有する基板であって、前記第２シート部は、前記第１シート部と前記第２シート部との境界における前記第２シート部の前記連設方向と直交する直交方向の中央部分を構成する中央境界部と、前記境界における前記直交方向の両端部分を構成し、前記中央境界部に比して、前記第１シート部における前記一端と反対側の他端側に形成される外側境界部と、を備えることを特徴とする基板に関する。
【発明の効果】
【００１１】
本発明によれば、湾曲又は屈曲されることによる破損の発生が抑制された基板を備える電子機器を提供することができる。
また、本発明によれば、湾曲又は屈曲されることによる破損の発生が抑制された基板を提供することができる。
【発明を実施するための最良の形態】
【００１２】
以下、図面を参照して本発明を実施するための最良の形態を説明する。
図１により、電子機器としての携帯電話機１における基本構造を説明する。図１は、携帯電話機１を開いた状態における外観斜視図を示す。
【００１３】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１４】
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００１５】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００１６】
音声入力部１２は、操作部側筐体２の長手方向における連結部４側と反対の外端部側に配置される。つまり、音声入力部１２は、携帯電話機１が開状態において一方の外端部側に配置される。
【００１７】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００１８】
表示部側筐体３は、外面がフロントパネル３ａと、フロントケース３ｂと、リアケース３ｃと、リアパネル３ｄとにより構成される。表示部側筐体３には、各種情報を表示するための表示部２１と、通話の相手側の音声を出力するレシーバとしての音声出力部２２と、が外部に露出するように配置される。
表示部２１は、液晶パネルと、この液晶パネルを駆動する駆動回路と、この液晶パネルの背面側から光を照射するバックライト等の光源部とから構成される。
【００１９】
次いで、図２から図７により、操作部側筐体２及び表示部側筐体３の内部構造について説明する。図２は、操作部側筐体２に内蔵される部材の分解斜視図である。図３は、表示部側筐体３に内蔵される部材の分解斜視図である。図４は、ＦＰＣ部９０の正面図である。図５は、ＦＰＣ部９０における側面図である。図６は、ＦＰＣ部９０が湾曲された実装状態を説明する外観図である。図７は、図６におけるＦ−Ｆ断面図である。
【００２０】
図２に示すように、操作部側筐体２は、フロントケース２ａと、キー構造部４０と、キー基板５０と、ケース体６０と、基準電位パターン層７５及び携帯電話機用のＲＦ（Ｒａｄｉｏ  Ｆｒｅｑｕｅｎｃｙ）モジュール等の各種電子部品を備える回路基板７０と、バッテリリッド２ｃを備えたリアケース２ｂと、バッテリ８０とを備える。キー基板５０と回路基板７０とは、キー基板５０から延出する基板としてのＦＰＣ部９０により電気的に接続される。ＦＰＣ部９０については、後に詳述する。
【００２１】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、ＦＰＣ部９０を有するキー基板５０と、ケース体６０と、回路基板７０とが挟まれるようにして内蔵される。
【００２２】
フロントケース２ａには、携帯電話機１を折り畳んだ状態で表示部側筐体３の表示部２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００２３】
キー構造部４０は、操作部材４０Ａと、補強部材としてのキーフレーム４０Ｂと、シート部材としてのキーシート４０Ｃと、により構成される。
【００２４】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００２５】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００２６】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００２７】
キー基板５０は、キーシート４０Ｃ側の面である第１面５０ａに配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。また、キー基板５０における第２面５０ｂ側には、複数の電極配線が形成される。
【００２８】
図２に示すように、キー基板５０は、キースイッチ５１、５２、５３が配置されたメイン部分のほか、ＦＰＣ部９０を有する。ＦＰＣ部９０は、キー基板５０における連結部４側に延出して形成される。具体的には、図４に示すように、ＦＰＣ部９０は、第１シート部としての接続部９１と、接続部９１における一端９１ａから一体的に連設され延出方向（連設された方向）としてのＹ方向に延出するように形成される第２シート部としての連結部９２と、キー基板５０からＹ方向に延出し連結部９２とつながる根元部９３と、を備える。
【００２９】
図５に示すように、接続部９１は、図５において下側から順に、カバーフィルム１９２と、導電層１９１と、ベースフィルム１９０と、補強部材９４と、回路基板７０における第１面７０ａに接続されるコネクタ部９５とが積層配置されて構成される。補強部材９４における外縁９８は、後述する第１境界部９６と略同じ形状であって第１境界部９６と平行に位置する。また、カバーフィルム１９２と、導電層１９１と、ベースフィルム１９０とは、フレキシブルプリント基板を構成するシート状材料である。
【００３０】
図４及び図５に示すように、接続部９１の連結部９２側における外縁は、カバーフィルム１９２の外縁によって規定される。言い換えると、後述の第１境界部９６は、カバーフィルム１９２の外縁によって規定される。
【００３１】
図５に示すように、連結部９２は、図５において下側から順に、導電層１９１と、ベースフィルム１９０とが積層配置されて構成される。連結部９２は、ベースフィルム１９０と、導電層１９１と、カバーフィルム１９２とが積層されたフレキシブルプリント基板におけるカバーフィルム１９２が除去された部分である。連結部９２は、接続部９１や根元部９３に比べ、シート材料が少ない部分である。
【００３２】
連結部９２は、接続部９１よりも厚さが薄い部分である。具体的には、連結部９２は、接続部９１における連結部９２側の補強部材９４が配置されていない部分９１Ａに比べて厚さが薄い部分である。
また、連結部９２は、接続部９１よりも柔らかい部分（強度の低い部分）である。具体的には、連結部９２は、接続部９１における連結部９２側の補強部材９４が配置されていない部分９１Ａに比べて柔らかい部分（強度の低い部分）である。
従って、接続部９１と連結部９２との境界である第１境界部９６は、破損の生じやすい部分である。
【００３３】
図５に示すように、根元部９３は、図５において下側から順に、カバーフィルム１９２と、導電層１９１と、ベースフィルム１９０とが積層配置されて構成された部分である。
図４及び図５に示すように、根元部９３は、キー基板５０からＹ方向に延出する部分であって、連結部９２とつながる部分である。根元部９３は、上述の接続部９１における部分９１Ａと同じ構造である。つまり、根元部９３は、連結部９２との関係において、接続部９１の部分９１Ａと同様の関係にある。
図４及び図５に示すように、接続部９１と同様、根元部９３の連結部９２側における外縁は、カバーフィルム１９２の外縁によって規定される。言い換えると、後述の第２境界部９７は、カバーフィルム１９２の外縁によって規定される。
【００３４】
図４及び図５に示すように、接続部９１と連結部９２との境界には、第１境界部９６が形成される。第１境界部９６は、幅方向としてのＸ方向における中央部に形成される中央境界部９６ａと、幅方向の両外側に形成される外側境界部９６ｂ、９６ｂとを有する。
【００３５】
中央境界部９６ａは、幅方向（直交方向）としてのＸ方向に延びるように形成される。中央境界部９６ａは、幅方向としてのＸ方向と略平行となるよう形成される。
外側境界部９６ｂ、９６ｂそれぞれは、幅方向としてのＸ方向と交差する方向であって、接続部９１の他端９１ｂ側に近づく方向に延びるように形成される。外側境界部９６ｂ、９６ｂそれぞれは、中央境界部９６ａを幅方向としてのＸ方向に延長した仮想線から離間する方向に延びるように形成される。本実施形態において、外側境界部９６ｂ、９６ｂそれぞれは、直線状であるが、曲線状であってもよい。
【００３６】
図４及び図５に示すように、根元部９３と連結部９２との境界には、第２境界部９７が形成される。第２境界部９７は、幅方向としてのＸ方向における中央部に形成される中央境界部９７ａと、幅方向の両外側に形成される外側境界部９７ｂ、９７ｂとを有する。
【００３７】
中央境界部９７ａは、幅方向としてのＸ方向に延びるように形成される。中央境界部９７ａは、幅方向としてのＸ方向と略平行となるよう形成される。
外側境界部９７ｂ、９７ｂそれぞれは、幅方向としてのＸ方向と交差する方向であって、根元部９３におけるキー基板５０側の端部側に近づく方向に延びるように形成される。外側境界部９７ｂ、９７ｂそれぞれは、中央境界部９７ａを幅方向としてのＸ方向に延長した仮想線から離間する方向に延びるように形成される。本実施形態において、外側境界部９７ｂ、９７ｂそれぞれは、直線状であるが、曲線状であってもよい。
【００３８】
ここで、図６及び図７に示すように、ＦＰＣ部９０は、延出方向において湾曲（又は屈曲）した状態で、接続部９１が回路基板７０における所定位置に接続されるよう配置される。
具体的には、まず、ＦＰＣ部９０を有するキー基板５０は、回路基板７０に積層配置されたケース体６０の平板部６１に載置される。ＦＰＣ部９０は、連結部９２が湾曲した状態で、ケース体６０のリブ６２に形成された切り欠き部６２ａに挿通される。そして、ＦＰＣ部９０は、接続部９１がケース体６０の平板部６１を介してキー基板５０やＦＰＣ部９０の一部と対向する位置に配置されると共に、接続部９１の表面に配置されるコネクタ部９５が回路基板７０に電気的に接続されるよう配置される。
【００３９】
湾曲される位置には連結部９２が配置されるので、接続部９１や根元部９３は、湾曲される位置から離間している。つまり、第１境界部９６及び第２境界部９７それぞれは、湾曲される位置から離間している。
【００４０】
ここで、取り付け位置がずれた場合には、ＦＰＣ部９０は、第１境界部９６及び第２境界部９７それぞれの位置において湾曲される場合がある。この場合、第１境界部９６及び第２境界部９７それぞれにおいて、応力が集中する。本実施形態において、第１境界部９６及び第２境界部９７における外側部分（外側境界部９６ｂ、９６ｂ、外側境界部９７ｂ、９７ｂ）は、中央部分（中央境界部９６ａ、中央境界部９７ａ）の延長線から離間する方向に延びるように形成されるので（図４参照）、外側部分の外端部に応力が集中して破れることが抑制される。
【００４１】
図２に示すように、ケース体６０は、薄型の直方体における一の広い面が開口した形状を有する導電性の部材である。ケース体６０は、平板部６１における開口側の面に略垂直に形成されるリブ６２を有する。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、ケース体６０が回路基板７０に載置された状態で、基準電位パターン層７５上に配置されるようにリブ６２が形成される。なお、ケース体６０は、金属により形成するほか、骨格を樹脂により形成し、その表面に導体膜を形成したものでもよい。
【００４２】
ケース体６０は、リブの底面が基準電位パターン層７５に当接されることで、該基準電位パターン層７５と電気的に接続される。ケース体６０は、基準電位パターン層７５と電気的に導通して該基準電位パターン層７５と同じ大きさの電位を有するようになる。つまり、ケース体６０は、シールドケースとして機能する。ケース体６０は、シールドケースとして外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体６０におけるリブ６２の底面が基準電位パターン層７５上に配置されることで、後述する各回路はリブ６２により囲われると共に平板部６１の一部により覆われる。リブ６２は、各回路における隔壁として機能し、平板部６１の一部と共に各回路をシールドする。
また、図６に示すように、ケース体６０におけるリブ６２には、ＦＰＣ部９０が挿通される切り欠き部６２ａが形成される。
【００４３】
図２に示すように、回路基板７０には、アンテナ１０８が送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００４４】
回路基板７０におけるケース体６０側の第１面７０ａには、上述の各種電子部品のほか、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
また、上述の通り、図７に示すように、回路基板７０における第１面７０ａには、ＦＰＣ部９０の接続部９１におけるコネクタ部９５が電気的に導通可能に接続される。
【００４５】
リアケース２ｂの一端側（図２において）には、取り外し可能なバッテリリッド２ｃが設けられており、バッテリ８０をリアケース２ｂの外側から収納した後、リアケース２ｂに装着される。また、リアケース２ｂにおける一端側には、ユーザの音声を入力する不図示の音声入力部１２（特にマイク）が収容される。
【００４６】
図３に示すように、表示部側筐体３は、フロントパネル３ａと、音声出力部２２と、フロントケース３ｂと、音声出力部２２と、表示部２１と、表示部２１が接続されたプリント基板８５と、リアケース３ｃと、リアパネル３ｄと、を備える。
【００４７】
表示部側筐体３は、フロントパネル３ａと、フロントケース３ｂと、表示部２１と、プリント基板８５と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００４８】
そして、フロントケース３ｂとリアケース３ｃとの間には、表示部２１が接続されたプリント基板８５が挟まれるようにして内蔵される。プリント基板８５には、不図示のアンプと接続されるスピーカが接続される。
【００４９】
続けて、図８及び図９により、本実施形態のＦＰＣ部９０における作用について説明する。図８は、本実施形態におけるＦＰＣ部９０の作用を説明するための平面図である。図９は、従来技術におけるＦＰＣ部１００の作用を説明するための平面図である。
まず、キー基板５０が適正な位置に配置され、ＦＰＣ部９０における連結部９２が湾曲された場合、応力は、特定の部分に集中しない。連結部９２は、所定位置に破損が生じにくい状態で湾曲される。
【００５０】
次いで、キー基板５０が適正な位置からずれた位置に配置され、ＦＰＣ部９０における第１境界部９６又は第２境界部９７を含む所定領域が湾曲された場合、ＦＰＣ部９０は、第１境界部９６の中央境界部９６ａ、又は、第２境界部９７の中央境界部９７ａにおいて屈曲される。言い換えると、応力は、第１境界部９６の中央境界部９６ａ、又は、第２境界部９７の中央境界部９７ａに集中する。
【００５１】
ここで、第１境界部９６における外側境界部９６ｂ、９６ｂは、幅方向Ｘの外側に向かうにしたがって、第１境界部９６の中央境界部９６ａを幅方向Ｘに延長した線Ｌ１から離間する方向に延びるように形成される。このため、外側境界部９６ｂ、９６ｂの幅方向外側の端部（ＦＰＣ部９０における幅方向外側の外縁の一部）には応力が集中しないので、連結部９２に破れが生じることを抑制できる。
【００５２】
同様に、第２境界部９７における外側境界部９７ｂ、９７ｂは、幅方向としてのＸ方向の外側に向かうにしたがって、第２境界部９７の中央境界部９７ａを幅方向Ｘに延長した線Ｌ２から離間する方向に延びるように形成される。このため、外側境界部９７ｂ、９７ｂの幅方向外側の端部（ＦＰＣ部９０における幅方向外側の外縁の一部）には応力が集中しないので、連結部９２に破れが生じることを抑制できる。
【００５３】
これに対し、図９に示すように、従来のＦＰＣ部１００においては、キー基板５０が適正な位置からずれた位置に配置され、ＦＰＣ部１００における第１境界部２９６又は第２境界部２９７を含む所定領域が湾曲された場合、ＦＰＣ部１００は、第１境界部２９６又は第２境界部２９７において屈曲される。言い換えると、応力は、第１境界部２９６又は第２境界部２９７に集中する。
【００５４】
ここで、従来のＦＰＣ部１００においては、本実施形態のＦＰＣ部９０とは異なり、第１境界部９６における外側境界部９７ｂ、９７ｂの幅方向外側における端部に対応する端部２００ａ、２００ｂは、線Ｌ１上に位置する。
同様に、従来のＦＰＣ部１００においては、第２境界部９７における外側境界部９７ｂ、９７ｂの幅方向外側における端部に対応する端部２１０ａ、２１０ｂは、線Ｌ２上に位置する。
【００５５】
つまり、第１境界部２９６に応力が集中した状態において、端部２００ａ、２００ｂに破れが生じる場合がある。また、同様に、第２境界部２９７に応力が集中した状態において、端部２１０ａ、２１０ｂに破れが生じる場合がある。
【００５６】
特に、接続部２９１及び根元部２９３と、連結部２９２とにおける厚さや硬さが異なるので、第１境界部２９６又は第２境界部２９７に沿って連結部２９２が破れる（切れる）場合がある。
【００５７】
本実施形態によれば、湾曲又は屈曲されることによる破損の発生が抑制された基板及び該基板を備える携帯電話機１を提供することができる。例えば、湾曲又は屈曲されることによる幅方向外側の外縁が破れることが抑制された基板及び該基板を備える携帯電話機１を提供することができる。
【００５８】
また、本実施形態によれば、カバーフィルム１９２を取り除く範囲を変えるだけで破損を抑制できるので、ＦＰＣ部９０の構造や製造条件を大きく変えることなく、破損が抑制された基板及び該基板を有する携帯電話機１を提供できる。
【００５９】
また、図５に示すように、ＦＰＣ部９０を湾曲させたとき、カバーフィルム１９２が内側にくるようにベースフィルム１９０が外側となるようにすることで、ベースフィルム１９０とカバーフィルム１９２の剥離等の破損を好適に防ぐことが可能となる。
【００６０】
以上、好適な実施形態について説明したが、本発明は上述した実施形態に限定されることなく種々の形態で実施することができる。例えば、本実施形態において、電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００６１】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００６２】
また、本実施形態において、第１シート部を接続部９１、第２シート部を連結部９２として説明しているが、これに限定されず、第１シート部を根元部９３、第２シート部を連結部９２としてもよい。この場合、境界は、第２境界部９７となる。
【図面の簡単な説明】
【００６３】
【図１】携帯電話機１を開いた状態における外観斜視図である。
【図２】操作部側筐体２に内蔵される部材の分解斜視図である。
【図３】表示部側筐体３に内蔵される部材の分解斜視図である。
【図４】ＦＰＣ部９０の正面図である。
【図５】ＦＰＣ部９０における側面図である。
【図６】ＦＰＣ部９０が湾曲された実装状態を説明する外観図である。
【図７】図６におけるＦ−Ｆ断面図である。
【図８】本実施形態におけるＦＰＣ部９０の作用を説明するための平面図である。
【図９】従来技術におけるＦＰＣ部１００の作用を説明するための平面図である。
【符号の説明】
【００６４】
１          携帯電話機
２          操作部側筐体
３          表示部側筐体
５０        キー基板
９０        ＦＰＣ部（基板、フレキシブル基板）
９１        接続部
９２        連結部
９３        根元部
９６        第１境界部
９６ａ      中央境界部
９６ｂ      外側境界部
【図１】
2010080814.tif 000003
【図２】
2010080814.tif 000004
【図３】
2010080814.tif 000005
【図４】
2010080814.tif 000006
【図５】
2010080814.tif 000007
【図６】
2010080814.tif 000008
【図７】
2010080814.tif 000009
【図８】
2010080814.tif 000010
【図９】
2010080814.tif 000011